(57)【要約】      （修正有）【課題】床用絨毯、マットの床材への固定及び着脱が容易で確実である方法の提供すること。【解決手段】４個の隅を有する直角状の床用絨毯・マット１において、床に接する該絨毯の裏面１ｂの４隅に粘着両面テープ２の離型フイルム２ｃをはがして該絨毯・マット裏面１ｂに粘着両面テープ２を貼る方法でズレ防止及び床上固定方法で有り、より粘着性をよくする為に粘着両面テープ２の床面相当部２ｂに粘着ウレタンエラストマーを製造時に一体成形加工して粘着性を付与し床面にする。  加えて床用絨毯、マット１のズレ防止及び固定方法においてプライマー粘着剤３が酢酸ビニール系エマルジョン又は強粘着ウレタンエラストマーである床用絨毯、マット１のズレ防止及び固定方法である。【選択図】図２
2008183167.tif 000002
【特許請求の範囲】
【請求項１】
４個の隅を有する直角状の床用絨毯・マットにおいて、床に接する該絨毯の裏面の４隅に粘着両面テープの片方のフイルムをはがして該絨毯・マット裏面に貼りつける床用絨毯、マットのズレ防止及び固定方法に於いて、該粘着両面テープの該絨毯・マットの床面貼り付け面に粘着ウレタンエラストマーを一体成形加工した粘着両面テープを用いて絨毯・マットのズレ防止及び床面固定方法。
【請求項２】
４個の隅を有する直角状の床用絨毯・マットにおいて、床に接する該絨毯の裏面の４隅に粘着両面テープの片方のフイルムをはがして該絨毯・マットのズレ防止及び床面固定方法に於いて、絨毯・マット裏面４隅にあらかじめプライマ−粘着剤を塗布する事を特徴とする請求項１記載の床用絨毯、マットのズレ防止及び床上固定方法。
【請求項３】
４個の隅を有する直角状の床用絨毯・マットにおいて、床に接する該絨毯の裏面の４隅に粘着両面テープの片方のフイルムをはがして、該絨毯・マット裏面プライマー粘着剤塗布面に貼りつける事を特徴とする請求項２記載の床用絨毯、マットのズレ防止及び床上固定方法において該裏面プライマー粘着剤塗布面の厚みが０．５ｍｍ〜３ｍｍである絨毯・マットのズレ防止及び床上固定方法。
【請求項４】
４個の隅を有する直角状の床用絨毯・マットにおいて、床に接する該絨毯の裏面の４隅に粘着両面テープの片方のフイルムをはがして該絨毯・マット裏面プライマ−粘着剤塗布面に貼りつける事を特徴とする請求項２又は請求項３の床用絨毯、マットのズレ防止及び固定方法においてプライマー粘着剤が酢酸ビニール系エマルジョン又は強粘着ウレタンエラストマーである事を特徴とする床用絨毯、マットのズレ防止及び床上固定方法。
【請求項５】
４個の隅を有する直角状の床用絨毯・マットにおいて、床に接する該絨毯の裏面の４隅に粘着両面テープの片方のフイルムをはがして、床用絨毯、マットのズレ防止及び床上固定方法に於いて、該粘着両面テープの大きさが４５ｍｍｘ４５ｍｍ〜５５ｍｍｘ５５ｍｍであることを特徴とする請求項１又は請求項２又は請求項３又は請求項４記載の床用絨毯、マットのズレ防止及び床上固定方法。
【発明の詳細な説明】
【技術分野】
【０００１】
絨毯、マットの床上での着脱自在な固定方法に関する。
【背景技術】
【０００２】
市販の絨毯、マットを床上に着脱自在に固定する場合に、強すぎると取り外しに、時間と床上に粘着剤の痕跡や部分的な欠損部分を残す事になり、絨毯、マットを取り替える事を職業とする業者は困ることになる。しかるに顧客の要望は、早く着脱出来て、絨毯、マットの使用中のズレや移動は嫌われ、固定されている事が要望されて居る。  
また、粘着材による絨毯、マットの汚染も問題になる。
【発明の開示】
【発明が解決しようとする課題】
【０００３】
部屋や入り口に敷設されている絨毯、マットは企業などに使用される場合は、２週間位で回収されて、新しい絨毯、マットか洗濯された絨毯、マットと交換されて設置されるが、この場合、顧客の要望でズレ防止対策として強力両面粘着テープを床面に貼り付けてその上に絨毯、マットを押しつける。この場合ズレ防止は確実に出来るが、次回に回収に来た時に、絨毯、マットははがれても、両面粘着テープの粘着剤が床上に粘着して、容易にはがすことが出来にくく手間取っている。
両面粘着テープの粘着剤成分（アクリル系）又は強粘着低硬度ウレタンエラストマーが床面に残らないようにする必要がある。
【課題を解決するための手段】
【０００４】
上記の課題を解決する為に鋭意研究した結果本発明に到達したもので、すなわち本発明は、床用絨毯、マットの床材への固定及び着脱が容易で確実である方法を提供するもので、
４個の隅を有する直角状の床用絨毯・マットにおいて、従来は床に接する該絨毯・マットの裏面の４隅に粘着両面テープの片方のフイルムをはがして、貼りつける事で床用絨毯、マットのズレ防止をしていたが、粘着性が少し不足して居た。
一つは、粘着両面テープの片面を粘着ウレタンエラストマーで処理する。処理方法としては金型に粘着両面テープ溶液を流し込み、その上に粘着ウレタンエラストマ−溶液を流す。粘着両面テープとして使用する場合は、絨毯、マットの床面に該粘着ウレタンエラストマー流し込み面を使用する法が望ましい。
絨毯、マットの裏面の粘着性を向上するには、絨毯、マットの粘着両面テープの貼着部位の間に粘着性のプライマーを塗布しておく。粘着性プライマーとしては、酢酸ビニール系エマルジョン又は粘着ウレタンエマルジョン及び強粘着ウレタンエラストマーなどが好適である。  
該床用絨毯、マットのズレ防止及び固定方法において、必要な該裏面プライマー粘着剤塗布面の厚みは０．５ｍｍ〜３ｍｍであり、４個の直角の絨毯、マットの隅の直角のズレ
防止の粘着両面テープの大きさは４５ｍｍｘ４５ｍｍ〜５５ｍｍｘ５５ｍｍである固定方法であります。また、粘着プライマーの大きさは、５５ｍｍｘ５５ｍｍ〜６５ｍｍｘ６５ｍｍが望ましい。
加えて床用絨毯、マットのズレ防止及び固定方法において望ましいプライマー粘着剤が強粘着ウレタンエラストマー及び粘着ウレタンエマルジョン又は酢酸ビニール系エマルジョンであり、粘着床用絨毯、マットのズレ防止及び固定方法であります。
【発明の効果】
【０００５】
１）粘着両面テープ単独で裏面に凹凸のある絨毯、マットの裏面及び床上を同時に同じ処方では無理なので、従来の粘着両面テープの配合に粘着ウレタンエラストマーを加えて凹凸を調整し、加えて粘着強さを調節可能である。
２）４個の隅を有する直角状の床用絨毯・マットにおいて、床に接する該絨毯・マットの裏面の４隅にいきなり粘着両面テープのの片方のフイルムをはがして、床面に貼り付けようとしましても、該絨毯、マット裏面の床接触面は小さな凹凸があり、実際の接着面は少なく所望の粘着力は難しい。あらかじめ該絨毯・マット裏面の４隅に貼る粘着両面テープを貼る前に、塗布したプライマ−粘着剤塗布面に貼りつける事で床用絨毯、マットのズレ防止を確実にして行う固定方法であります。  
３）該床用絨毯、マットのズレ防止及び固定方法において、必要な該裏面プライマー粘着剤塗布面の厚みは、絨毯、マットの床面との接触面の凹凸の程度によって０．５ｍｍ〜３ｍｍに、する事で、発明の効果が発生する。
４）絨毯、マットの４隅に使用する粘着両面テープの大きさは４５ｍｍｘ４５ｍｍ〜５５ｍｍｘ５５ｍｍ四方とちいさくても効果がある。
５）プライマー粘着剤として強粘着ウレタンエラストマー及び粘着ウレタンエマルジョン又は酢酸ビニール系エマルジョンを使用することで、絨毯、マット裏面と床面との粘着両面テープとの粘着をよくする。しかも絨毯、マットの裏面の凹凸をプライマー粘着剤で平坦化する。
６）粘着両面テープの床上面は  強粘着低硬度ポリウレタンエラストマーを使用する事で、再使用する時は、床面に接する部分を水又はアルコールでゴミを拭き取る事で何度でも使用可能である。
【発明の実施するための最良の形態】
【０００６】
１）粘着両面テープ単独で絨毯、マットの裏面の凹凸及び粘着並びに床上との粘着を向上するための方策として、粘着両面テープを作る時に、配合処方に粘着ウレタンエラストマーを配合して、粘着強度を向上させる。
２）４個の隅を有する床用絨毯、マットの踏面固定方法に於いて、４隅に絨毯、マットの
裏面凹凸均斉化と接着性向上の為に、使用する粘着両面テープより大きな部位にあらかじめプライマー粘着剤を塗布し、ついで粘着両面テープ  の絨毯、マット裏面部に相当する部位のフイルムをはがして、工事の時に、該当する床面を掃き清める事で、（１）接着性  （２）使用頻度耐久性  （３）耐洗濯性  を考慮する。
３）床用絨毯、マットは床面側に丸くなる傾向があります。そのために絨毯、マットの裏地として裏生地を張り合わせたり、合成樹脂皮膜を融着したりします。加えて、裏生地の凹凸と融着性を考慮して、４隅にあらかじめプライマー粘着剤を塗布し粘着両面テープ接着剤の一面をその上に貼着する。
４）４隅の絨毯、マットの裏面のプライマー粘着剤の塗布面は粘着両面テープ面より大きい方が望ましい。
【０００７】
本発明を図面に基づいて説明する。
図１は本発明の絨毯、マット１の裏面１ｂに粘着両面テープ２の貼着を表す裏面図であります。
図２は図１のＡ−Ａ断面図で、側面図の１例であります。
絨毯、マット１は該絨毯、マット表面１ａの裏面１ｂに裏地用繊維または合成樹脂皮膜（フィルム）から構成されている。絨毯、マットのような厚手の生地は裏面に向かって丸くなる傾向があります。この生地の裏に直接に粘着両面テープを貼っても、接着性にも水平面性支持・維持にやや問題があります。
その解決策として、本発明は絨毯、マットの裏面１ｂの４隅に粘着両面テープ２の部位に、粘着両面テープ２との粘着性と該絨毯、マット１との粘着性を向上させる為に粘着両面テープそのものの粘着性を、向上させる為に、粘着両面テープ製造時に強粘着低硬度ウレタンエラストマー溶液を添加する。
図３は図２の離型フィルム２ｃ、２ｄとの関係を示している。
【０００８】
粘着両面テープ２は熱可塑性高分子化合物が望ましい。強粘着低硬度ウレタンエラストマーや酢酸ビニールがのぞまいしい。
厚みは０．５ｍｍ〜３ｍｍが望ましい。大きさは４５ｍｍｘ４５ｍｍ〜５５ｍｍｘ５５ｍｍが望ましい。
絨毯、マットの凹凸が大きく、水平に成りにくい場合は、粘着両面テープ貼着の前に、
絨毯、マット１の裏面１ｂに粘着両面テープより大きな面積にプライマー粘着剤を塗布する方法も本発明に含まれる。  
プライマー粘着剤としては、強粘着低硬度ウレタンエラストマーや酢酸ビニールが用いられる。
図４は、本発明の絨毯、マット１の裏面１ｂの４隅にプライマー粘着剤３を塗布しその上に粘着両面テープ２を貼り付けた裏面平面図で有ります。
図５は、図４のＡ−Ａ断面図の側面図の１例で、あります。図６は図のＡ−Ａ断面図で、本発明の粘着両面テープ２の２層に分けたより粘着性の優れた方法を示す、側面図の１例であります。  
粘着両面テープがウレタンエラストマーの場合は、粘着両面テープの絨毯、マット裏面１ｂ面に貼る方のテープをはがしてその部分に粘着両面テープ通常品２ａの方を貼り付けし、強粘着低硬度ウレタンエラストマー溶液を塗布した粘着両面テープ２ｂは床面に貼る事で着脱自在性に加えて床のゴミに対しても付着しない効果を有する。  
プライマー粘着剤はウレタンエラストマーとは別に酢酸ビニールも望ましい。塗布面積は両面テープ粘着剤の大きさより大きい方が望ましく６０ｍｍ〜７０ｍｍが好適である。
【図面の簡単な説明】
【０００９】
【図１】図１は本発明の絨毯裏面の４隅に粘着両面テープ２を貼布した絨毯の裏面平面図である。
【図２】図２は図１のＡ−Ａ断面図の側面図の１例である。
【図３】図３は図１のＡ−Ａ断面図の側面図の１例で粘着両面テープとその離型フィルムの関係をあらはしている。
【図４】図４は本発明の絨毯裏面の４隅にプライマー粘着剤を塗布し粘着両面テープを設けた絨毯の裏面平面図である。
【図５】図５は図４のＡ−Ａ断面図の詳細な側面図の１例である。
【図６】図６は図４のＡ−Ａ断面図の側面図の別の例であり本発明の粘着両面テープとプライマー粘着剤を塗布した１例である。
【符号の説明】
【００１０】
１    絨毯、マット
１ａ  絨毯、マット表面
１ｂ  絨毯、マット裏面
２    粘着両面テープ
２ａ  絨毯、マットの粘着両面テープ通常品（絨毯、マット側）
２ｂ  粘着両面テープの低粘度低硬度ウレタンエラストマー粘着面（床面側）
２ｃ  粘着両面テープの絨毯、マット面の離型フィルム
２ｄ  粘着両面テープの床上面への離型フィルム
３    絨毯、マット裏面部のプライマー粘着面
４    床上
【図１】
2008183167.tif 000003
【図２】
2008183167.tif 000004
【図３】
2008183167.tif 000005
【図４】
2008183167.tif 000006
【図５】
2008183167.tif 000007
【図６】
2008183167.tif 000008